(57)【特許請求の範囲】
【請求項１】
火薬類を貯蔵するための貯蔵倉庫であって、
地面上に設置され、火薬類を貯蔵するための倉庫本体と、
前記倉庫本体の外面であって、少なくとも前記地面より上の面を覆うシート体と、
前記シート体を前記地面に固定する固定手段と、
前記シート体の外面を覆う土層とを備えた、貯蔵倉庫。
【請求項２】
火薬類を貯蔵するための貯蔵倉庫であって、
地面上に設置され、火薬類を貯蔵するための倉庫本体と、
前記倉庫本体の外面を覆う第１土層と、
前記第１土層の外面を覆うシート体と、
前記シート体を前記地面に固定する固定手段と、
前記シート体の外面を覆う第２土層とを備えた、貯蔵倉庫。
【請求項３】
前記シート体は遮水性を有する、請求項２記載の貯蔵倉庫。
【請求項４】
前記シート体は、前記倉庫本体の底面の少なくとも一部を覆う、請求項１から請求項３のいずれかに記載の貯蔵倉庫。
【発明の詳細な説明】
【技術分野】
【０００１】
この発明は貯蔵倉庫に関し、特に爆発危険性を有する火薬類等を貯蔵するための貯蔵倉庫に関するものである。
【背景技術】
【０００２】
従来の火薬類等を貯蔵するための貯蔵倉庫は、コンクリート製の構造体で構成されているのが一般的である。
【０００３】
又、特許文献１に示すように、一対の不透水性のシートの間に複数の密封式のチューブ群を配列して連続構造体を形成し、この連続構造体に発泡ウレタン等を充填して所定の形状に立ち上がらせて貯蔵倉庫を構築する方法が提案されている。これによって、施工が容易となり、トンネル内で大きな容積の倉庫を確保できるとされている。
【特許文献１】特公平６−２３５１８号公報
【発明の開示】
【発明が解決しようとする課題】
【０００４】
上記のような従来のコンクリート製の構造体の貯蔵倉庫では、火薬類が爆発したとき、構造体の破片が飛散したり、爆風圧が拡散する虞がある。
【０００５】
又、特許文献１の貯蔵倉庫では、コンクリート片の飛散等は無いものの構造が複雑であり、施工性、汎用性が高いとは言えない。
【０００６】
この発明は、上記のような課題を解決するためになされたもので、簡易な構成で爆発時における爆発片の飛散や爆風圧の拡散が阻止される貯蔵倉庫を提供することを目的とする。
【課題を解決するための手段】
【０００７】
上記の目的を達成するために、請求項１記載の発明は、火薬類を貯蔵するための貯蔵倉庫であって、地面上に設置され、火薬類を貯蔵するための倉庫本体と、倉庫本体の外面であって、少なくとも地面より上の面を覆うシート体と、シート体を地面に固定する固定手段と、シート体の外面を覆う土層とを備えたものである。
【０００８】
このように構成すると、倉庫本体が爆発したとき、爆発片や爆風はシート体に包囲される。又、爆発時のシート体の浮き上がりが土層によって阻止される。
【００１１】
請求項２記載の発明は、火薬類を貯蔵するための貯蔵倉庫であって、地面上に設置され、火薬類を貯蔵するための倉庫本体と、倉庫本体の外面を覆う第１土層と、第１土層の外面を覆うシート体と、シート体を地面に固定する固定手段と、シート体の外面を覆う第２土層とを備えたものである。
【００１２】
このように構成すると、倉庫本体が爆発したとき、爆発片や爆風は第１土層を介してシート体に包囲される。又、爆発時のシート体の浮き上がりが第２土層によって阻止される。
【００１５】
請求項３記載の発明は、請求項２記載の発明の構成において、シート体は遮水性を有するものである。
【００１６】
このように構成すると、第１土層への雨水等の浸入が阻止されると共に爆発時の小片物の飛散が阻止される。
【００１７】
請求項４記載の発明は、請求項１から請求項３のいずれかに記載の発明の構成において、シート体は、倉庫本体の底面の少なくとも一部を覆うものである。
【００１８】
このように構成すると、爆発時の地面側への爆土圧の拡散程度が減少する。
【発明の効果】
【００１９】
以上説明したように、請求項１記載の発明は、爆発片や爆風はシート体に包囲されるので、爆発片の飛散や爆風圧の拡散が阻止される。又、シート体の浮き上がりが土層によって阻止されるので、シート体の機能が確実に発揮され、信頼性が向上する。
【００２１】
請求項２記載の発明は、爆発片や爆風は第１土層を介してシート体に包囲されるので、爆発片の飛散や爆風圧の拡散が阻止されると共に、シート体への衝撃が緩和される。その結果、シート体の強度を低く設定することが可能となる。又、シート体の浮き上がりが第２土層によって阻止されるので、シート体の機能が確実に発揮され、信頼性が向上する。
【００２３】
請求項３記載の発明は、請求項２記載の発明の効果に加えて、第１土層への雨水等の浸入が阻止されるので、第１土層の水分保有量が常に一定になる。そのため、爆発時の爆土圧が一定になり、周辺における保安距離の確保が容易となる。又、爆発時の小片物の飛散が阻止されるので、より安全性が向上する。
【００２４】
請求項４記載の発明は、請求項１から請求項３のいずれかに記載の発明の効果に加えて、爆発時の地面側への爆土圧の拡散程度が減少するので、保安効果がより向上する。
【発明を実施するための最良の形態】
【００２５】
図１はこの発明の第１の実施の形態による貯蔵倉庫の外観形状を示す平面図であり、図２は図１で示したＩＩ−ＩＩラインの断面図である。
【００２６】
これらの図を参照して、貯蔵倉庫１１の中心となる、火薬類等が貯蔵されている倉庫本体１４は、地面１６の上に設置されている。倉庫本体１４は、その材質は限定しないが、以下に述べるようなその外面に設置する構造体等を保持できるような強度を有する構造であれば良い。
【００２７】
倉庫本体１４の外面であって地面１６より上の面が第１土層２１で覆われており、その外面がシート体１３によって覆われている。第１土層２１の土の種類や施工厚さは倉庫本体１４内に貯蔵される火薬類の爆発力の大きさによって決定すれば良い。シート体１３は総ゴム製の遮水シートが用いられており、その地面側の端部となる平坦部１９ａ，１９ｂの各々は、固定手段の一例となるアンカーボルト等の複数の固定部材１７ａ，１７ｂによって長手方向（図１において上下方向）に連続的に地面１６に固定されている。平坦部１９ａ，１９ｂの幅や強度は、爆風圧の大きさによって設定すれば良い。
【００２８】
尚、倉庫本体１４の長手方向の両端部は、図２の断面図と同様に第１土層２１及びシート体１３で覆うように構成しても良いが、扉構造を組み込んだ他の構造体によって塞ぐようにしても良い。いずれにしても、図２における倉庫本体１４の側面方向及び上面方向は
第１土層２１及びシート体１３でその全面が覆われることになる。
【００２９】
次に、この貯蔵倉庫１１における安全性について説明する。
【００３０】
倉庫本体１４に収納されている火薬類がなんらかの原因で爆発すると、周囲にその破片が飛散したり爆風が拡散する。しかし、倉庫本体１４の地面１６より上の周囲は第１土層２１で覆われているため、破片や爆風は第１土層２１で吸収されながらシート体１３に伝達する。尚、地面１６の方向に拡散した爆風は地面１６に吸収され、地面１６より上の周囲に影響を与えることは無い。
【００３１】
シート体１３は第１土層２１の外面を覆っていると共に、その平坦部１９ａ，１９ｂが地面１６に固定されているため、シート体１３は捲りあがることがない。その結果、倉庫本体１４を包囲したシート体１３に伝達された爆風等は外部に拡散されることがない。
【００３２】
尚、シート体１３は遮水性を有しているため、その上に降った雨水等が第１土層２１に浸透することは無い。そのため、第１土層２１が保有する水分量は常に一定となるので、第１土層２１を介して伝達する爆土圧の伝播力が変動する虞が無い。したがって、火薬類の爆発による周囲への影響が一定化するので、貯蔵倉庫１１周りに必要な保安距離の確保が容易となる。又、シート体１３は火薬類の湿潤を防ぐ効果も期待できる。又、シート体１３は遮水性を有しているため、爆発時における小片物の飛散が阻止されるのでより安全性が向上する。
【００３３】
図３はこの発明の第２の実施の形態による貯蔵倉庫の概略断面図であって、先の実施の形態による図２に対応した図である。
【００３４】
図を参照して、基本的な構成は先の実施の形態の貯蔵倉庫と同一であるので、ここではその相違点について主に説明する。
【００３５】
第１土層２１の外面を覆うシート体は、長手方向に分断された一対のシート体１３ａ，１３ｂより構成されている。そして、シート体１３ａの地面１６側の端部となる平坦部２３ａは倉庫本体１４の底部の一部の下面に配置され、固定部材１７ａによって地面１６に固定されている。一方、平坦部２３ｂは倉庫本体１４の底部の一部の下面に配置され、固定部材１７ｂによって地面１６に固定されている。そして、シート体１３ａ，１３ｂの各々は第１土層２１の上面でボルトやロープ等の接合部材２５によって一体化されている。尚、長手方向に対する接合部材２５の取り付けは連続的に行っても良いし、所定間隔で取付けても良い。所定間隔で取付けると、接合部材２５が取付けられていない部分から爆風の一部を逃がすこと可能となる。
【００３６】
このように構成されているため、倉庫本体１４の爆発による地面１６側への爆土圧の影響が低減する。又、シート体１３ａ，１３ｂの各々の端部となる平坦部２３ａ，２３ｂは倉庫本体１４の底面下に配置されていると共に固定部材１７ａ，１７ｂの上を第１土層２１が覆っているため、爆発時におけるシート体１３ａ，１３ｂの浮き上がりの虞をより低減できる。
【００３７】
図４はこの発明の第３の実施の形態による貯蔵倉庫の概略断面図であって、第１の実施の形態による図２に対応した図である。
【００３８】
図を参照して、基本的な構成は第１の実施の形態の貯蔵倉庫と同一であるので、ここではその相違点について主に説明する。
【００３９】
第１土層２１をシート体１３で覆う点までは第１の実施の形態による貯蔵倉庫と同一であるが、この実施の形態の貯蔵倉庫１１にあっては、シート体１３の外面が更に第２土層２７で覆われている点が大きく異なっている。尚、第２土層２７はシート体１３の端部における平坦部１９ａ，１９ｂも完全に覆っているが、必ずしも完全に覆わなくても良い。
【００４０】
このように構成されているため、倉庫本体１４の爆発によって伝達された爆風等によるシート体１３の浮き上がりが、第２土層２７によって確実に防止されることになり、貯蔵倉庫１１の信頼性をより向上する。尚、第２土層２７の土の種類や施工厚さは、倉庫本体１４内に貯蔵される火薬類の爆発力によるシート体１３への影響に応じて決定すれば良い。
【００４１】
図５はこの発明の第４の実施の形態による貯蔵倉庫の概略断面図であって、第１の実施の形態による図２に対応した図である。
図を参照して、この実施の形態による貯蔵倉庫１１にあっては、地面１６上に設置されている倉庫本体１４の外面を直接シート体１３で覆っている。即ち、倉庫本体１４とシート体１３との間には土層が配置されていない。尚、シート体の材質は先の各実施の形態によるものと同一である。又、平坦部１９ａ，１９ｂは地面１６に固定部材１７ａ，１７ｂによって固定されており、シート体１３の浮き上がりを防止している。
【００４２】
したがって、倉庫本体１４が爆発すると、その爆風等は緩和されること無くシート体１３に包囲されることになる。しかし、シート体１３が破損しない状態では、爆風等を外部に拡散させることが無いので、周囲の安全性が向上する。
【００４３】
尚、上記の各実施の形態では、シート体は総ゴム製の遮水シートを用いているが、ゴム材料に繊維、金網等からなる補強材を内部に埋設又は表面に被覆したシート材や合成樹脂性のシート材等を用いても良い。又、爆発片の飛散のみを防止するものであれば、爆発片を通過させない程度の網目を有する織布や爆発片を通過させない程度の貫通孔を有するゴム製シート、樹脂製シート及び金属製シート等をシート体として用いることも可能である。
【００４４】
又、上記の各実施の形態では、基本的に倉庫本体の全面をシート体で覆っているが、一部を開放することにより爆風等の拡散方向を制御するように使用しても良い。
【００４５】
更に、上記の各実施の形態では、シート体の設置形態については触れていないが、設置時にできるだけ角部等が表れないように設置すれば、シート体の破断を防止する意味で好ましい。
【００４６】
更に、上記の各実施の形態では、シート体は一枚で使用しているが、状況に応じて複数枚を重ねて使用しても良い。
【００４７】
更に、上記の第２の実施の形態では、シート体１３ａ，１３ｂの各々は第１土層２１の上面で接合部材２５によって一体化されているが、接合部材２５の代わりにシート体１３ａ，１３ｂの重なりあっている部分すべてに接着剤を塗布してこれらを一体化しても良い。あるいは、重なりあっている部分に対して長手方向に一定間隔をあけて接着剤を塗布してこれらを一体化しても良い。後者にあっては、接着剤が塗布されていない部分から爆風の一部を逃がすこと可能となる。
【００４８】
更に、上記の第２の実施の形態では、シート体の外面には何も設けられていないが、第３の実施の形態のようにシート体の外面を土層で覆うようにすればより安全性が向上する。この場合、シート体１３ａ，１３ｂは単に重ねるだけで接合部材２５等によって一体化させなくても良い。
【００４９】
更に、上記の第４の実施の形態では、シート体の外面には何も設けられていないが、第３の実施の形態のようにシート体の外面を土層で覆うようにすればより安全性が向上する。又、第２の実施の形態のように倉庫本体の下面の一部もシート体の端部で覆うようにしても良い。
【図面の簡単な説明】
【００５０】
【図１】この発明の第１の実施の形態による貯蔵倉庫の外観形状を示す平面図である。
【図２】図１で示したＩＩ−ＩＩラインの断面図である。
【図３】この発明の第２の実施の形態による貯蔵倉庫の概略断面図であって、第１の実施の形態による図２に対応した図である。
【図４】この発明の第３の実施の形態による貯蔵倉庫の概略断面図であって、第１の実施の形態による図２に対応した図である。
【図５】この発明の第４の実施の形態による貯蔵倉庫の概略断面図であって、第１の実施の形態による図２に対応した図である。
【符号の説明】
【００５１】
１１…貯蔵倉庫
１３…シート体
１４…倉庫本体
１６…地面
１７ａ，１７ｂ…固定部材
２１…第１土層
２７…第２土層
尚、各図中同一符号は同一又は相当部分を示す。
【図１】
0005393970.tif 000002
【図２】
0005393970.tif 000003
【図３】
0005393970.tif 000004
【図４】
0005393970.tif 000005
【図５】
0005393970.tif 000006